(57)【特許請求の範囲】
【請求項１】
真空掃除機を用いた被掃除面の掃除時、該被掃除面の濡れごみ及び/またはくっついたごみを拭き取るための補助雑巾部材と、
該補助雑巾部材を前記真空掃除機の延長管について着脱自在に装着させる装着装置とを備えてなり、
前記装着装置は、前記補助雑巾部材を支持し一側に装着突起が突設された第１固定部材と、前記延長管に固設され前記装着突起と相補的にフック結合される装着溝を備えた第２固定部材とを備えることを特徴とする補助雑巾セット。
【請求項２】
真空掃除機本体と、被掃除面のごみを吸込む吸引口組立体と、前記真空掃除機本体と吸引口組立体とを連結する延長管と、濡れごみ及び/またはくっついたごみにより汚れた被掃除面を掃除できるよう前記延長管の一側に着脱自在に設けられた補助雑巾セットを有し、
前記補助雑巾セットが、前記濡れごみ及び/またはくっついたごみを掃除できる補助雑巾部材と、該補助雑巾部材を前記延長管に着脱自在に装着させる装着装置とよりなる構成である真空掃除機において、
前記補助雑巾セットの前記装着装置は、前記補助雑巾部材を支持し一側に装着突起が突設された第１固定部材と、前記延長管に固設され、前記装着突起と相補的にフック結合される装着溝を備えた第２固定部材とを備えることを特徴とする真空掃除機。
【請求項３】
前記第１固定部材は、前記第２固定部材に結合される結合面側に前記延長管の外周面と同一な曲率半径を有し、前記第１固定部材の長手方向に形成された凹部を有することを特徴とする請求項２に記載の真空掃除機。
【発明の詳細な説明】
【０００１】
本発明は真空掃除機に係り、特に被掃除面の濡れごみ及び/またはくっついたごみを除去することができる補助雑巾セットとそれを具備する真空掃除機に関する。
【０００２】
【従来の技術】
図１を参照するに、通常の真空掃除機１００は吸引モータ(図示せず)及び集塵フィルタ(図示せず)を内蔵した真空掃除機本体１１０と、前記吸引モータの駆動時被掃除面からごみ周辺の空気と共に吸込む吸引穴(図示せず)が底面に形成されたメイン吸引口組立体１２０と、真空掃除機本体１１０とメイン吸引口組立体１２０とを連結して前記ごみが真空掃除機本体１１０に吸込まれる通路を形成させる延長管１３０とを含む。そして、メイン吸引口組立体１２０だけでは掃除できない箇所を掃除するための補助吸込ノズルなどの補助掃除装置１４０をさらに含む。補助掃除装置である補助吸込ノズル１４０は被掃除面に沿って延長管１３０の先端にメイン吸引口組立体１２０の代りに装着され使用され、不使用時延長管１３０の一側に別設された着脱部材(図示せず)に装着されたまま保管されたり真空掃除機本体１１０に設けられた別の保管部(図示せず)に収納され保管される。
【０００３】
ところが、このように構成された従来の真空掃除機１００を用いて掃除する場合、空気を吸込んでごみを掃除するよう真空掃除機１００に備えられたメイン吸引口組立体１２０または補助吸込ノズル１４０だけでは被掃除面に散在した油、水などの濡れごみ及び被掃除面のくっついたごみを完全に除去できない短所がある。
【０００４】
これにより、従来の真空掃除機１００を使用して掃除を行っている途中に、前記濡れごみまたはくっついたごみにより汚れた部分が発見されれば、ユーザは前記濡れごみを掃除できる別の雑巾で前記濡れごみ及びくっついたごみを拭き取らなければならない煩わしさがあった。
【０００５】
【発明が解決しようとする課題】
本発明は前述した問題点を解決するために案出されたもので、その目的は掃除する面の濡れごみ及び/またはくっついたごみを簡便に掃除することができる補助掃除装置及びこれを具備する真空掃除機を提供するところにある。
【０００６】
【課題を解決するための手段】
前述した目的を達成するための本発明の一側面に係る補助雑巾セットは、真空掃除機を用いた被掃除面の掃除時前記被掃除面の濡れごみ及び/またはくっついたごみを拭き取るための補助雑巾部材と、該補助雑巾部材を前記真空掃除機の延長管について着脱自在に装着させる装着装置を含む点に特徴がある。
【０００７】
本発明の望ましい実施例によれば、前記装着装置は、前記補助雑巾部材を支持し一側に装着突起が突設された第１固定部材と、前記延長管に固設され、前記装着突起と相補的にフック結合される装着溝を備えた第２固定部材とを備えることが望ましい。
【０００８】
一方、本発明の他の側面による真空掃除機は、真空掃除機本体と、被掃除面のごみを吸込む吸引口組立体と、前記真空掃除機本体と吸引口組立体とを連結する延長管及び前記延長管の一側に着脱自在に設けられる補助雑巾セットを備え、前記補助雑巾セットは、前記濡れごみ及び/またはくっついたごみを掃除できる補助雑巾部材と、前記補助雑巾部材を前記延長管に着脱自在に装着させる装着装置とを備えることを特徴とする。
【０００９】
これによれば、濡れごみ及び/またはくっついたごみにより汚れた被掃除面を補助雑巾セットを用いて簡便に掃除することができる。
【００１０】
ここで、前記装着装置は、前記補助雑巾部材を支持し一側に装着突起が突設された第１固定部材と、前記延長管に固設され、前記装着突起と相補的にフック結合される装着溝を具備した第２固定部材とを備える。
【００１１】
そして、前記第１固定部材は、前記第２固定部材に結合される結合面側に前記延長管の外周面と同一な曲率半径を有し前記第１固定部材の長手方向に形成された凹部を備えることが望ましい。
【００１２】
【発明の実施の形態】
以下、添付した図面に基づき本発明の望ましい実施例を説明する。本発明の実施例を説明するにおいて図１に示しかつ説明された従来の真空掃除機の構成要素と同一な構成及び機能を有する構成要素は従来と同一な符号を付して引用し、その詳細な説明は省く。
【００１３】
図２及び図３に示した通り、本発明に係る真空掃除機１００(図１参照)は真空掃除機本体１１０(図１参照)と、被掃除面のごみを吸込むメイン吸引口組立体１２０と、メイン吸引口組立体１２０を真空掃除機本体１１０に連結させる延長管１３０とを備える。そして、延長管１３０に着脱自在に装着される補助雑巾セット１５０を具備する。
【００１４】
補助雑巾セット１５０は、補助雑巾部材１５１と、補助雑巾部材１５１を延長管１３０に着脱自在に装着させる装着装置１５２とを備える。
【００１５】
補助雑巾部材１５１は、被掃除面が濡れごみ及びくっついたごみにより汚れている場合、これを拭き取るためのものである。本実施例における補助雑巾部材１５１はスポンジなどの発泡性合成樹脂材で形成され、その他雑巾や布巾のように液体を良く吸収できる織物材質で形成されたものを使用することもできる。
【００１６】
装着装置１５２は、補助雑巾部材１５１を延長管１３０の一側に着脱自在に装着させるためのものである。本実施例における装着装置１５２は延長管の一側に設けられた第２固定部材１５７と、第２固定部材１５７と相補的に結合されることにより延長管１３０に着脱自在に結合される第１固定部材１５３とを備える。
【００１７】
ここで、第１固定部材１５３には補助雑巾部材１５１が着脱自在に装着される。これによれば、延長管１３０に固設された第２固定部材１５７に補助雑巾部材１５１を支持したまま第１固定部材１５３が装着されるにつれ補助雑巾部材１５１は延長管１３０に着脱自在に装着される。
【００１８】
第２固定部材１５７は中央に貫通孔を有する管状で形成される。前記貫通孔が延長管１３０に挟み込まれることにより第２固定部材１５７は延長管１３０に固設される。そして、第２固定部材１５７の外周一側に所定の切除部１５８が形成され第２固定部材１５７と延長管１３０の結合時所定の装着溝１５９が形成される。その他、第２固定部材１５７は装着溝１５９を備えて第１固定部材１５３が着脱自在に装着できれば多様な形態に変形実施可能である。
【００１９】
第１固定部材１５３は上面に形成された安着部１５４と、延長管１３０と接触する下面に形成された凹部１５５とを備える。安着部１５４には補助雑巾部材１５１が安着され、補助雑巾部材１５１が着脱自在に装着されうるよう所定の安着手段が設けられる。本実施例における安着手段は安着部１５４と補助雑巾部材１５１の接触面に塗布されたり付着された接着剤１６０を使用し、これにより、ユーザは補助雑巾部材１５１を安着部１５４に着脱自在に安着させうる。その他、補助雑巾部材１５１を安着部１５４の体積より割合に大体積を有するよう形成させ、補助雑巾部材１５１が安着部１５４に強いて嵌合されうるようにするなど、第１固定部材１５３に補助雑巾部材１５１を着脱自在に安着させる方法には限りがない。
【００２０】
凹部１５５は、第２固定部材１５７と第１固定部材１５３の結合時延長管１３０と対面し、第１固定部材１５３の長手方向に所定長さを有するよう形成される。ここで、凹部１５５は延長管１３０の曲率半径と同サイズの曲率半径を有する曲面で形成される。これにより、凹部１５５は第１固定部材１５３と延長管１３０の結合時延長管１３０の外周面の一部を包む。これによれば、第１固定部材１５３と延長管１３０の接触面積が広まることにより、後述する装着突起１５６と装着溝１５９の結合状態を堅固に支持する。また、延長管１３０に装着された状態の第１固定部材１５３及び補助雑巾部材１５１が延長管１３０の一側で占める体積を縮める効果も奏でる。
【００２１】
一方、凹部１５５の略中央部には装着突起１５６が突設される。装着突起１５６は第２固定部材１５７の下面との間に所定間隔の隙間１５６ａが形成されるようその先端が第２固定部材１５７の長手方向に折曲形成される。
【００２２】
このように構成された第１固定部材１５３を延長管１３０に装着させるためには、装着溝１５９の上側に装着突起１５６が置かれるよう第１固定部材１５３を延長管１３０に密着させた後、第１固定部材１５３を延長管１３０の下側に摺動移動させ装着突起１５６を装着溝１５９にフック結合させれば良い。前述したような第１固定部材１５３の結合状態は図３に示した通りである。
【００２３】
一方、前述した装着装置１５２を使用する方法以外も多様な方法で補助雑巾部材１５１を延長管１３０に着脱自在に装着させうる。一例に、補助雑巾部材１５１と第１固定部材１５３の結合方法と同様に、補助雑巾部材１５１と延長管１３０に直接接着手段を塗布したり付着させることにより補助雑巾部材１５１を延長管１３０に着脱自在に装着させうるなどその結合方法は多様に変形実施可能であろう。
【００２４】
また、第２固定部材１５７は、補助雑巾部材１５１以外も他の補助掃除装置１４０(図１参照)を延長管１３０の側面に安着させうるよう複数の結合手段(図示せず)を有するよう形成されうる。
【００２５】
以上のように構成された本発明に係る真空掃除機１００を用いて掃除する方法は次の通りである。
【００２６】
まず、真空掃除機本体１１０を駆動させメイン吸引口組立体１２０に所定の吸引力を発させる。そして、掃除する面に沿ってメイン吸引口組立体１２０を移動させ掃除する面に散在したごみを周辺の空気と共にメイン吸引口組立体１２０に吸い込ませる。この際、掃除する面の状態により、その先端が狭く形成された補助吸込ノズル１４０(図１参照)の掃除補助装置をメイン吸引口組立体１２０の代りに延長管１３０に装着して使用することもできる。
【００２７】
一方、前述したように掃除する面を掃除していて途中に、水や油などの濡れごみまたはくっついたごみにより汚れた掃除する面を掃除する場合、延長管１３０の一側に装着された第１固定部材１５３を把持して延長管１３０の上側から摺動移動させる。これにより、補助雑巾部材１５１及びこれを支持する第１固定部材１５３が延長管１３０から分離され、第１固定部材１５３を把持した状態に濡れごみにより汚れた箇所を補助雑巾部材１５１で拭き取れば掃除が完了される。ここで、第１固定部材１５３は補助雑巾部材１５１を延長管に着脱自在に装着させる機能のみならず、補助雑巾部材１５１のハンドルの役割も果たす。
【００２８】
前述したように掃除時使用された補助雑巾部材１５１は、第１固定部材１５３から補助雑巾部材１５１を分離させた後洗浄してリサイクルしたり、新たな補助雑巾部材１５１を第１固定部材１５３に安着させることによりその交替が可能である。
【００２９】
汚れ程度が酷い被掃除面を真空掃除機１００を用いて掃除した時、真空掃除機本体１１０などの各構成品も被掃除面から移されたごみによりその外郭が汚れる場合がある。この場合も、補助雑巾部材１５１を用いれば真空掃除機１００の汚れ部位を簡便に洗浄できる。
【００３０】
一方、本発明はキャニスタ型の真空掃除機に例えて説明したが、これは必ずこれに限定されず、アップライト型真空掃除機にも適用できる。すなわち、延長管１３０の代りにアップライト型真空掃除機本体１１０の外壁に補助雑巾セット１５０を着脱自在に装着させることもできる。
【００３１】
【発明の効果】
以上述べた通り、本発明によれば真空掃除機１００を用いて掃除をして途中に、濡れごみ及びくっついたごみにより汚れた被掃除面を掃除する際は延長管１３０に着脱自在に装着された補助雑巾部材１５１を使用して被掃除面を拭き取ることにより掃除できる。これにより、真空掃除機を用いた掃除を行う途中に別の雑巾で前記濡れごみ及びくっついたごみを掃除すべき煩わしさが解消される。
【００３２】
以上、本発明を本発明の原理を例示するための望ましい実施例について示しかつ説明したが、本発明はそのように図示かつ説明されたそのままの構成及び作用に限定されることではない。かえって、特許請求の範囲の思想及び範疇を逸脱せず本発明に対する多様な変形及び修正が可能なことを当業者はよく理解できろう。従って、そのような全ての適切な変形と修正及び均等物も本発明の範囲内に属することと見做すべきである。
【図面の簡単な説明】
【図１】従来の真空掃除機を示した斜視図である。
【図２】本発明の実施例による真空掃除機を示した斜視図である。
【図３】図２の補助雑巾セットの装着状態を示した側断面図である。
【符号の説明】
１００  真空掃除機
１１０  真空掃除機本体
１２０  メイン吸引口組立体
１３０  延長管
１４０  補助吸込ノズル
１５０  補助雑巾
１５１  補助雑巾部材
１５２  装着装置
１５３  第１固定部材
１５４  安着部
１５５  凹部
１５６  装着突起
１５６ａ  隙間
１５７  第２固定部材
１５８  切除部
１５９  装着溝
１６０  接着剤
【図１】
0003752475.tif 000002
【図２】
0003752475.tif 000003
【図３】
0003752475.tif 000004